(57)【要約】【課題】ユーザを識別不能なデータに基づいて印刷された印刷物のセキュリティが向上すること。【解決手段】認証情報の入力を受け付ける受付部と、印刷部と、制御部と、を備え、制御部は、少なくとも受付部で受け付けられた認証情報を用いた認証が成功したことを条件に、蓄積装置に蓄積されているデータであってユーザを識別不能な識別不能データに基づく印刷を印刷部に実行させる識別不能印刷処理を実行する、印刷装置。【選択図】図５
2015054505.tif 000002
【特許請求の範囲】
【請求項１】
認証情報の入力を受け付ける受付部と、
印刷部と、
制御部と、
を備え、
前記制御部は、少なくとも前記受付部で受け付けられた認証情報を用いた認証が成功したことを条件に、蓄積装置に蓄積されているデータであってユーザを識別不能な識別不能データに基づく印刷を前記印刷部に実行させる識別不能印刷処理を実行する、印刷装置。
【請求項２】
請求項１に記載の印刷装置であって、
前記制御部は、少なくとも前記受付部で受け付けられた認証情報を用いた認証が成功したことを条件に、前記蓄積装置に蓄積されているデータであってユーザを識別可能な識別可能データのうち前記認証情報に対応するユーザと合致するユーザが識別される識別可能データに基づく印刷を前記印刷部に実行させる識別可能印刷処理を実行する、印刷装置。
【請求項３】
請求項２に記載の印刷装置であって、
前記制御部は、前記蓄積装置に前記識別不能データ、及び、前記識別可能データが蓄積されている場合は、前記識別可能印刷処理、前記識別不能印刷処理の順で実行する、印刷装置。
【請求項４】
請求項２に記載の印刷装置であって、
前記制御部は、前記蓄積装置に前記識別不能データ、及び、前記識別可能データが蓄積されている場合は、前記識別不能印刷処理、前記識別可能印刷処理の順で実行する、印刷装置。
【請求項５】
請求項１乃至請求項４のいずれか一項に記載の印刷装置であって、
前記制御部は、
前記蓄積装置に前記識別不能データを蓄積させるか否かの設定を受け付ける設定処理と、
前記設定処理で蓄積させる設定を受け付けた場合は前記蓄積装置に前記識別不能データを蓄積させ、蓄積させない設定を受け付けた場合は前記蓄積装置に前記識別不能データを蓄積させない蓄積処理と、
を実行する、印刷装置。
【請求項６】
請求項５に記載の印刷装置であって、
前記制御部は、前記設定処理で前記識別不能データを蓄積させない設定を受け付けた場合は、前記蓄積装置に蓄積されている前記識別不能データに基づく印刷を前記印刷部に実行させる、印刷装置。
【請求項７】
請求項５に記載の印刷装置であって、
前記制御部は、前記設定処理で前記識別不能データを蓄積させない設定を受け付けた場合は、前記蓄積装置に蓄積されている前記識別不能データのうち特定種別の識別不能データについては当該識別不能データに基づく印刷を前記印刷部に実行させ、前記特定種別以外の種別の識別不能データについては前記蓄積装置から削除する、印刷装置。
【請求項８】
請求項１乃至請求項４のいずれか一項に記載の印刷装置であって、
前記制御部は、特定種別の前記識別不能データについては前記蓄積装置に蓄積させ、前記特定種別以外の種別の前記識別不能データについては前記蓄積装置に蓄積させない蓄積処理を実行する、印刷装置。
【請求項９】
請求項７又は請求項８に記載の印刷装置であって、
前記特定種別の識別不能データはファクシミリデータである、印刷装置。
【請求項１０】
請求項１乃至請求項９のいずれか一項に記載の印刷装置であって、
前記制御部は、前記識別不能印刷処理において、前記認証が成功する前に前記蓄積装置への蓄積が完了した前記識別不能データについては当該識別不能データに基づく印刷を前記印刷部に実行させ、前記認証が成功した後に前記蓄積装置への蓄積が完了した前記識別不能データについては当該識別不能データに基づく印刷を前記印刷部に実行させない、印刷装置。
【請求項１１】
請求項１乃至請求項９のいずれか一項に記載の印刷装置であって、
前記制御部は、前記識別不能印刷処理において、前記認証が成功する前に前記蓄積装置への蓄積が完了した識別不能データについては当該識別不能データに基づく印刷を前記印刷部に実行させ、前記蓄積装置の空き容量が第１基準容量以下である場合は、前記認証が成功した後に前記蓄積装置への蓄積が完了した識別不能データについても当該識別不能データに基づく印刷を前記印刷部に実行させる、印刷装置。
【請求項１２】
請求項１乃至請求項１１のいずれか一項に記載の印刷装置であって、
前記制御部は、前記識別不能印刷処理の実行中に認証成功状態が解除されても前記識別不能印刷処理を継続する、印刷装置。
【請求項１３】
請求項１乃至請求項１２のいずれか一項に記載の印刷装置であって、
前記制御部は、
前記識別不能印刷処理を実行させるか否かの選択を受け付ける選択受付処理を実行し、
前記選択受付処理で実行させない選択を受け付けた場合は前記識別不能印刷処理を実行しない、印刷装置。
【請求項１４】
請求項１乃至請求項１３のいずれか一項に記載の印刷装置であって、
前記制御部は、
前記条件が成立した場合に、前記蓄積装置に蓄積されているデータに基づく印刷を前記印刷部に実行させる処理以外の他の処理に前記印刷部が利用される可能性があるか否かを判断する利用判断処理を実行し、
前記利用判断処理で前記可能性があると判断した場合は、前記蓄積装置に蓄積されているデータに基づく印刷を待機する、印刷装置。
【請求項１５】
請求項１４に記載の印刷装置であって、
前記制御部は、前記利用判断処理で前記可能性があると判断したときから一定時間以内に前記他の処理を実行しなかった場合は、前記蓄積装置に蓄積されているデータに基づく印刷を前記印刷部に実行させる、印刷装置。
【請求項１６】
請求項１４又は請求項１５に記載の印刷装置であって、
前記制御部は、前記蓄積装置の空き容量が第２基準容量以下である場合は、前記利用判断処理を実行せず、前記蓄積装置に蓄積されているデータに基づく印刷を前記印刷部に実行させる、印刷装置。
【発明の詳細な説明】
【技術分野】
【０００１】
データを印刷する技術に関する。
【背景技術】
【０００２】
従来、印刷文書のセキュリティを確保するために、認証情報を付与したデータをデータ生成装置から印刷処理装置に送信し、印刷処理装置は受信したデータに付与されている認証情報と一致する認証情報が入力されるとそのデータ全てを印刷部に供給する印刷システムが知られている（例えば、特許文献１参照）。
【先行技術文献】
【特許文献】
【０００３】
【特許文献１】特開２００６−３４１５９１号公報
【発明の概要】
【発明が解決しようとする課題】
【０００４】
しかしながら、上述した従来の技術は、認証情報のようなユーザを識別可能な情報が付与されているデータについて印刷文書のセキュリティを確保するものであり、ファクシミリデータのようにユーザを識別不能なデータについては印刷文書のセキュリティが考慮されていなかった。
本明細書では、ユーザを識別不能なデータに基づいて印刷された印刷物のセキュリティが向上する技術を開示する。
【課題を解決するための手段】
【０００５】
本明細書によって開示される印刷装置は、認証情報の入力を受け付ける受付部と、印刷部と、制御部と、を備え、前記制御部は、少なくとも前記受付部で受け付けられた認証情報を用いた認証が成功したことを条件に、蓄積装置に蓄積されているデータであってユーザを識別不能な識別不能データに基づく印刷を前記印刷部に実行させる識別不能印刷処理を実行する。
【０００６】
認証情報を用いた認証が成功した場合は、その認証情報を入力したユーザは信頼できるユーザである可能性が高い。上記印刷装置によると、印刷装置が備える受付部で受け付けられた認証情報を用いた認証が成功した場合に識別不能データに基づく印刷を印刷部に実行させるので、識別不能データに基づく印刷を印刷部が実行しているとき、信頼できるユーザが印刷装置の近くにいる可能性が高い。
よって上記印刷装置によると、認証が成功していない場合にも識別不能データに基づく印刷を実行させる場合に比べ、識別不能データに基づいて印刷された印刷物のセキュリティが向上する。
【０００７】
また、前記制御部は、少なくとも前記受付部で受け付けられた認証情報を用いた認証が成功したことを条件に、前記蓄積装置に蓄積されているデータであってユーザを識別可能な識別可能データのうち前記認証情報に対応するユーザと合致するユーザが識別される識別可能データに基づく印刷を前記印刷部に実行させる識別可能印刷処理を実行してもよい。
【０００８】
上記印刷装置によると、認証が成功していない場合にも識別可能データに基づく印刷を実行させる場合に比べ、識別可能データに基づいて印刷された印刷物のセキュリティが向上する。
【０００９】
また、前記制御部は、前記蓄積装置に前記識別不能データ、及び、前記識別可能データが蓄積されている場合は、前記識別可能印刷処理、前記識別不能印刷処理の順で実行してもよい。
【００１０】
ユーザは識別可能データを印刷するために認証情報を入力する場合もある。上記印刷装置によると、識別可能データを先に印刷するので、識別可能データを印刷するためにユーザが認証情報を入力した場合に、識別可能データに基づいて印刷された印刷物をより早く得ることができる。
【００１１】
また、前記制御部は、前記蓄積装置に前記識別不能データ、及び、前記識別可能データが蓄積されている場合は、前記識別不能印刷処理、前記識別可能印刷処理の順で実行してもよい。
【００１２】
ユーザは識別可能データを印刷するために認証情報を入力する場合もある。上記印刷装置によると、識別不能データを先に印刷するので、識別可能データを印刷するためにユーザが認証情報を入力した場合に、識別不能データの印刷を実行しているときにも信頼できるユーザが印刷装置の近くにいることになる。このため、識別不能データに基づいて印刷された印刷物のセキュリティが向上する。
【００１３】
また、前記制御部は、前記蓄積装置に前記識別不能データを蓄積させるか否かの設定を受け付ける設定処理と、前記設定処理で蓄積させる設定を受け付けた場合は前記蓄積装置に前記識別不能データを蓄積させ、蓄積させない設定を受け付けた場合は前記蓄積装置に前記識別不能データを蓄積させない蓄積処理と、を実行してもよい。
【００１４】
上記印刷装置によると、識別不能データを蓄積させるか否かをユーザが設定することができる。
【００１５】
また、前記制御部は、前記設定処理で前記識別不能データを蓄積させない設定を受け付けた場合は、前記蓄積装置に蓄積されている前記識別不能データに基づく印刷を前記印刷部に実行させてもよい。
【００１６】
識別不能データは削除してしまうと後で印刷物が必要になったときに同じ内容の識別不能データを再度取得することが困難な場合もある。上記印刷装置によると、識別不能データを蓄積させない設定を受け付けた場合は、蓄積装置に蓄積されている識別不能データを削除するのではなく、当該識別不能データに基づく印刷を実行させるので、ユーザは識別不能データに基づいて印刷された印刷物を得ることができる。
【００１７】
また、前記制御部は、前記設定処理で前記識別不能データを蓄積させない設定を受け付けた場合は、前記蓄積装置に蓄積されている前記識別不能データのうち特定種別の識別不能データについては当該識別不能データに基づく印刷を前記印刷部に実行させ、前記特定種別以外の種別の識別不能データについては前記蓄積装置から削除してもよい。
【００１８】
上記印刷装置によると、識別不能データを蓄積させない設定を受け付けた場合は、特定種別の識別不能データについては当該識別不能データに基づく印刷を実行させるので、ユーザは特定種別の識別不能データについては当該識別不能データに基づいて印刷された印刷物を得ることができる。また、上記印刷装置によると、特定種別以外の種別の識別不能データについては蓄積装置から削除するので、既に蓄積装置に蓄積されている特定種別以外の種別の識別不能データをそのまま蓄積させておく場合に比べてセキュリティが向上する。
【００１９】
また、前記制御部は、特定種別の前記識別不能データについては前記蓄積装置に蓄積させ、前記特定種別以外の種別の前記識別不能データについては前記蓄積装置に蓄積させない蓄積処理を実行してもよい。
【００２０】
上記印刷装置によると、特定種別以外の種別の識別不能データについては蓄積装置に蓄積しないようにすることができる。
【００２１】
また、前記特定種別の識別不能データはファクシミリデータであってもよい。
【００２２】
上記印刷装置によると、ユーザはファクシミリデータについては当該ファクシミリデータに基づいて印刷された印刷物を得ることができる。
【００２３】
また、前記制御部は、前記識別不能印刷処理において、前記認証が成功する前に前記蓄積装置への蓄積が完了した前記識別不能データについては当該識別不能データに基づく印刷を前記印刷部に実行させ、前記認証が成功した後に前記蓄積装置への蓄積が完了した前記識別不能データについては当該識別不能データに基づく印刷を前記印刷部に実行させないようにしてもよい。
【００２４】
認証が成功した後に蓄積装置への蓄積が完了した識別不能データについても当該識別不能データに基づく印刷を印刷部に実行させると、ユーザは予期せぬ印刷が行われて混乱する虞がある。上記印刷装置によると、認証が成功した後に蓄積装置への蓄積が完了した識別不能データについては当該識別不能データに基づく印刷を実行させないので、そのような混乱を抑制できる。
【００２５】
また、前記制御部は、前記識別不能印刷処理において、前記認証が成功する前に前記蓄積装置への蓄積が完了した識別不能データについては当該識別不能データに基づく印刷を前記印刷部に実行させ、前記蓄積装置の空き容量が第１基準容量以下である場合は、前記認証が成功した後に前記蓄積装置への蓄積が完了した識別不能データについても当該識別不能データに基づく印刷を前記印刷部に実行させてもよい。
【００２６】
上記印刷装置によると、蓄積装置の空き容量が第１基準容量より多い場合は、認証が成功した後に蓄積装置への蓄積が完了したデータについては当該データに基づく印刷を実行させないので、予期せぬ印刷を低減できる。また、上記印刷装置によると、蓄積装置の空き容量が第１基準容量以下であっても認証が成功した後に蓄積装置への蓄積が完了したデータについては印刷を実行させない場合に比べ、蓄積装置の空き容量をより早い時点で増やすことができる。
【００２７】
また、前記制御部は、前記識別不能印刷処理の実行中に認証成功状態が解除されても前記識別不能印刷処理を継続してもよい。
【００２８】
上記印刷装置によると、ユーザは認証成功状態が解除された後も識別不能データに基づいて印刷された印刷物を得ることができる。
【００２９】
また、前記制御部は、前記識別不能印刷処理を実行させるか否かの選択を受け付ける選択受付処理を実行し、前記選択受付処理で実行させない選択を受け付けた場合は前記識別不能印刷処理を実行しないようにしてもよい。
【００３０】
上記印刷装置によると、蓄積装置に蓄積されているデータに基づいて印刷された印刷物を直ぐに必要としない場合は印刷を実行させない選択を行うことにより、蓄積装置に蓄積されているデータに基づく印刷が実行されないようにすることができる。
【００３１】
また、前記制御部は、前記条件が成立した場合に、前記蓄積装置に蓄積されているデータに基づく印刷を前記印刷部に実行させる処理以外の他の処理に前記印刷部が利用される可能性があるか否かを判断する利用判断処理を実行し、前記利用判断処理で前記可能性があると判断した場合は、前記蓄積装置に蓄積されているデータに基づく印刷を待機してもよい。
【００３２】
上記印刷装置によると、蓄積装置に蓄積されているデータに基づく印刷を印刷部に実行させる処理以外の他の処理に印刷部が利用される可能性がある場合は蓄積装置に蓄積されているデータに基づく印刷を待機するので、他の処理を実行させたいユーザは、他の処理を、蓄積装置に蓄積されているデータに基づく印刷を印刷部に実行させる処理より先に実行させることができる。
【００３３】
また、前記制御部は、前記利用判断処理で前記可能性があると判断したときから一定時間以内に前記他の処理を実行しなかった場合は、前記蓄積装置に蓄積されているデータに基づく印刷を前記印刷部に実行させてもよい。
【００３４】
いつまでも他の処理を実行しないと、蓄積装置に蓄積されているデータに基づく印刷が長時間に亘って待機されてしまう。上記印刷装置によると、一定時間以内に他の処理を実行しなかった場合は蓄積装置に蓄積されているデータに基づく印刷を印刷部に実行させるので、待機する時間を上述した一定時間以内にすることができる。
【００３５】
また、前記制御部は、前記蓄積装置の空き容量が第２基準容量以下である場合は、前記利用判断処理を実行せず、前記蓄積装置に蓄積されているデータに基づく印刷を前記印刷部に実行させてもよい。
【００３６】
上記印刷装置によると、蓄積装置の空き容量が第２基準容量以下である場合は蓄積装置に蓄積されているデータに基づく印刷を印刷部に実行させるので、他の処理を実行してから蓄積装置に蓄積されているデータに基づく印刷を印刷部に実行させる場合に比べ、蓄積装置の空き容量をより早い時点で増やすことができる。
【００３７】
なお、本明細書によって開示される技術は、印刷システム、印刷方法、印刷制御プログラム、印刷制御プログラムを記録した記録媒体等の種々の態様で実現することができる。
【発明の効果】
【００３８】
上記の印刷装置によると、認証を行わずに識別不能データに基づく印刷を実行させる場合に比べ、識別不能データに基づいて印刷された印刷物のセキュリティが向上する。
【図面の簡単な説明】
【００３９】
【図１】実施形態１に係る印刷システムの構成を示す模式図。
【図２】複合機の電気的構成を簡略化して示すブロック図。
【図３】ユーザ管理テーブルを示す模式図。
【図４】蓄積ジョブ管理テーブルを示す模式図。
【図５】ログイン処理のフローチャート。
【図６】識別可能印刷・識別不能印刷処理のフローチャート。
【図７】印刷ジョブ受信・蓄積処理のフローチャート。
【図８】蓄積設定処理のフローチャート。
【図９】実施形態２に係る優先順決定処理のフローチャート。
【図１０】蓄積印刷実行処理のフローチャート。
【図１１】実施形態３に係る印刷ジョブ受信・蓄積処理のフローチャート。
【発明を実施するための形態】
【００４０】
＜実施形態１＞
実施形態１を図１ないし図８によって説明する。
【００４１】
（１）印刷システムの構成
先ず、図１を参照して、実施形態１に係る印刷システム１の構成について説明する。印刷システム１は、実施形態１に係る印刷装置としての複合機２、認証サーバ３、及び、１以上の端末装置４を備えて構成されている。
複合機２、認証サーバ３、及び、１以上の端末装置４はＬＡＮ（Ｌｏｃａｌ  Ａｒｅａ  Ｎｅｔｗｏｒｋ）などの通信ネットワーク５を介して通信可能に接続されている。また、複合機２には電話網７を介して外部のＦＡＸ装置６との間でＦＡＸデータを送受信するための電話回線８が接続されている。ＦＡＸはファクシミリの略称である。
【００４２】
端末装置４はパーソナルコンピュータ（ＰＣと記す）やモバイル端末などである。モバイル端末は所謂スマートフォンやタブレット端末などである。ユーザは端末装置４を操作して複合機２に印刷ジョブを送信することができる。
複合機２は印刷機能、画像読取機能、ＦＡＸ機能、コピー機能、ダイレクトプリント機能などを有している。ダイレクトプリント機能とは、ＵＳＢメモリなどのリムーバブルメモリに記憶されている画像データが表す画像を印刷する機能である。
【００４３】
認証サーバ３はユーザを一元的に管理するサーバである。認証サーバ３には後述するユーザ管理テーブル３１（図３参照）などが記憶されている。認証サーバ３についての説明は後述する。
【００４４】
（２）複合機の電気的構成
次に、図２を参照して、複合機２の電気的構成について説明する。複合機２は制御部１１、操作部１２、印刷部１３、画像読取部１４、ＦＡＸ部１５、通信インタフェース部１６、カードリーダ１７、ＵＳＢホストインタフェース部１８、計時部１９などを備えて構成されている。
【００４５】
制御部１１はＣＰＵ１１Ａ、フラッシュメモリ１１Ｂ、ＲＡＭ１１Ｃ、ＡＳＩＣ１１Ｄなどを備えて構成されている。ＣＰＵ１１Ａはフラッシュメモリ１１Ｂに記憶されている制御プログラムを実行することによって複合機２の各部を制御する。フラッシュメモリ１１ＢにはＣＰＵ１１Ａによって実行される制御プログラムや各種のデータなどが記憶されている。ＲＡＭ１１ＣはＣＰＵ１１Ａが各種の処理を実行するための主記憶装置として用いられる。また、ＲＡＭ１１Ｃには後述する蓄積ジョブ管理テーブル３２（図４参照）や印刷ジョブなどが記憶される。ＲＡＭ１１Ｃは蓄積装置の一例である。
【００４６】
操作部１２は、液晶ディスプレイなどの表示装置、表示装置を覆うタッチパネル、その他各種の操作ボタンなどを備えている。ユーザは操作部１２を操作することによって各種の指示や情報を入力することができる。
印刷部１３は印刷ジョブに格納されている印刷データが表す画像を印刷用紙などのシートに電子写真方式やインクジェット方式などで印刷する。
【００４７】
画像読取部１４は、原稿が載置されるプラテンガラス、複数の原稿を１枚ずつ搬送するＡＤＦ（Ａｕｔｏ  Ｄｏｃｕｍｅｎｔ  Ｆｅｅｄｅｒ）、イメージセンサ、プラテンガラスに載置されている原稿やＡＤＦによって搬送されている原稿を照射する光源、原稿によって反射された光をイメージセンサに結像する光学系などを備えており、原稿を読み取って画像データを生成する。
【００４８】
ＦＡＸ部１５はＮＣＵ（Ｎｅｔｗｏｒｋ  Ｃｏｎｔｒｏｌ  Ｕｎｉｔ）、モデム、これらを制御する制御回路などを備えており、外部のＦＡＸ装置６との間で電話回線８を介してＦＡＸデータを送受信する。
通信インタフェース部１６は複合機２を通信ネットワーク５に接続するためのハードウェアである。
【００４９】
カードリーダ１７はＩＤカード２１に記憶されているカードＩＤを読み取って制御部１１に出力する装置である。ユーザはカードリーダ１７にＩＤカード２１をかざすことによって非接触でカードＩＤを読み取らせることができる。
【００５０】
ＵＳＢホストインタフェース部１８は、ＵＳＢホストコントローラ、ＵＳＢメモリが接続されるジャックなどを備えて構成されている。なお、複合機２はＵＳＢホストインタフェース部１８に替えて、あるいはＵＳＢホストインタフェース部１８に加えて、各種のリムーバブルメモリの規格に応じた形状のメモリスロットを有するメモリカードリーダを備えていてもよい。
計時部１９は現在時刻を計時するものである。
【００５１】
（３）複合機へのログイン
複合機２を使用するためには、ユーザは予め複合機２に認証情報を入力してログインする必要がある。本実施形態では一人のユーザに対して次に説明する（ａ１）及び（ａ２）の二種類の認証情報が付与されている。ユーザはそれら二種類の認証情報のうちいずれの認証情報を入力してもよい。
【００５２】
（ａ１）ユーザＩＤ、及び、パスワード
ユーザＩＤ、及び、パスワードを認証情報として用いる場合は、ユーザは複合機２の操作部１２で自身のユーザＩＤ、及び、パスワードを入力する。この場合は操作部１２が受付部の一例である。
【００５３】
（ａ２）カードＩＤ
カードＩＤを認証情報として用いる場合は、ユーザは予め配布されているＩＤカード２１をカードリーダ１７にかざしてカードＩＤを読み取らせる。この場合はカードリーダ１７が受付部の一例である。
【００５４】
複合機２は、認証情報が入力されると、その認証情報を認証サーバ３に送信して認証を要求する。そして、複合機２は、認証サーバ３から認証成功を示す認証結果を受信した場合は複合機２を装置の使用許諾状態であるログイン状態にする。ログイン状態は認証成功状態の一例である。
【００５５】
複合機２はログイン状態になると表示装置に図示しないメニュー画面を表示させる。ユーザはメニュー画面を操作することにより、前述した画像読取機能、ＦＡＸ機能、コピー機能、ダイレクトプリント機能などを使用することや、各種の設定を行うことなどが可能になる。
【００５６】
ここで、詳しくは後述するが、ＲＡＭ１１Ｃに印刷ジョブが蓄積されている場合は、ログイン状態になってもメニュー画面は直ぐには表示されない。ＲＡＭ１１Ｃに印刷ジョブが蓄積されている場合はログイン状態になると蓄積されている印刷ジョブの実行が開始され、その間、表示装置には「印刷中」というメッセージが表示される。そして、その実行が完了した後にメニュー画面が表示される。ただし、蓄積されている印刷ジョブの実行中はメニュー画面を表示させることができない訳ではなく、操作ボタンを操作することによってメニュー画面を表示させることも可能である。
【００５７】
複合機２は、メニュー画面から呼び出される図示しないログオフ画面でユーザがログオフを指示するか、又は、操作部１２で一定時間以上操作を受け付けなかった場合はログイン状態を終了する。ログイン状態を終了することは認証成功状態を解除することの一例である。
【００５８】
（４）認証サーバによる認証
次に、認証サーバ３による認証について説明する。認証サーバ３には図３に示すユーザ管理テーブル３１が記憶されている。ユーザ管理テーブル３１には、ユーザ毎に、ユーザＩＤ、パスワード、カードＩＤ、及び、管理者権限の有無が登録されている。管理者権限とは、複合機２に対して高度の設定を行うことができる権限である。以降の説明では管理者権限があるユーザのことを管理者といい、管理者権限がないユーザのことを一般ユーザという。また、両者を区別しない場合は単にユーザという。
【００５９】
認証サーバ３は、複合機２から認証情報としてユーザＩＤ及びパスワードを受信した場合は、受信したユーザＩＤ及びパスワードの組み合わせがユーザ管理テーブル３１に登録されているか否かを判断する。そして、複合機２は、登録されている場合は認証成功を示す認証結果を複合機２に送信し、登録されていない場合は認証失敗を示す認証結果を複合機２に送信する。認証情報としてカードＩＤを受信した場合も同様である。
【００６０】
（５）印刷ジョブ
次に、複合機２が端末装置４やＦＡＸ装置６から受信する印刷ジョブについて説明する。印刷ジョブとは、印刷部１３に印刷させる印刷データや各種の情報が格納されているデータである。各種の情報とは、その印刷データを印刷するときの印刷条件、その印刷ジョブを送信したユーザのユーザＩＤ、印刷ジョブの種別などである。印刷ジョブの種別についての説明は後述する。
【００６１】
複合機２は、印刷ジョブを実行することにより、その印刷ジョブに格納されている印刷データに基づく印刷を印刷部１３に実行させる。以降の説明では印刷データが表す画像が印刷されたシートのことを印刷物という。
【００６２】
次に、上述した印刷ジョブの種別について説明する。ここでは印刷ジョブの種別としてＰＣ印刷ジョブ、ＦＡＸ印刷ジョブ、及び、モバイル印刷ジョブを例に説明する
【００６３】
（ｂ１）ＰＣ印刷ジョブ
ＰＣ印刷ジョブはＰＣから受信した印刷ジョブである。ＰＣ印刷ジョブにはそのＰＣ印刷ジョブの送信を指示したユーザのユーザＩＤが格納されている。ユーザＩＤはユーザを一意に識別するための情報である。ＰＣ印刷ジョブはユーザを識別可能な識別可能データの一例である。以降の説明ではＰＣ印刷ジョブのことを識別可能印刷ジョブという。
【００６４】
（ｂ２）ＦＡＸ印刷ジョブ
ＦＡＸ印刷ジョブは外部のＦＡＸ装置６から受信したＦＡＸデータを印刷するための印刷ジョブである。ここで、ＦＡＸ印刷ジョブは受信したＦＡＸデータから生成されるものであるが、便宜上、本実施形態ではＦＡＸデータを受信することを「ＦＡＸ印刷ジョブを受信する」というものとする。一般にＦＡＸ印刷ジョブにはユーザＩＤは格納されない。本実施形態に係るＦＡＸ印刷ジョブもユーザＩＤは格納されていないものとする。
【００６５】
（ｂ３）モバイル印刷ジョブ
モバイル印刷ジョブは前述したモバイル端末から受信した印刷ジョブである。モバイル印刷ジョブにユーザＩＤが格納されているか否かは、そのモバイル印刷ジョブを送信したモバイル端末で実行されている印刷アプリケーションプログラムに依存する。本実施形態に係る印刷アプリケーションプログラムは印刷ジョブにユーザＩＤを格納しないものとする。このため、本実施形態に係るモバイル印刷ジョブにはユーザＩＤは格納されない。
【００６６】
以降の説明ではＦＡＸ印刷ジョブ及びモバイル印刷ジョブを総称して識別不能印刷ジョブという。識別不能印刷ジョブはユーザを識別不能な識別不能データの一例である。
【００６７】
（６）識別可能印刷、及び、識別不能印刷
次に、識別可能印刷、及び、識別不能印刷について説明する。
【００６８】
（６−１）識別可能印刷
識別可能印刷とは、印刷ジョブを受信しても直ちには実行せずにＲＡＭ１１Ｃに蓄積し、ユーザが認証情報を入力して認証が成功した場合に、言い換えると複合機２がログイン状態になった場合に、ＲＡＭ１１Ｃに蓄積されている印刷ジョブのうちその認証情報に対応するユーザＩＤと合致するユーザＩＤが格納されている印刷ジョブを実行することをいう。
【００６９】
識別可能印刷を行うためには印刷ジョブにユーザＩＤが格納されている必要がある。前述したようにＰＣ印刷ジョブにはユーザＩＤが格納されるので、ユーザはＰＣから複合機２にＰＣ印刷ジョブを送信することにより、識別可能印刷を行うことができる。
【００７０】
（６−２）識別不能印刷
識別不能印刷とは、識別不能印刷ジョブを受信しても直ちには実行せずにＲＡＭ１１Ｃに蓄積し、いずれかのユーザが認証情報を入力して認証が成功した場合に、言い換えると複合機２がログイン状態になった場合に、その認証情報を入力したユーザが送信した識別不能印刷ジョブであるか否かによらず、ＲＡＭ１１Ｃに蓄積されている識別不能印刷ジョブを実行することをいう。
【００７１】
（７）印刷ジョブの蓄積
次に、図４を参照して、ＲＡＭ１１Ｃに記憶されている蓄積ジョブ管理テーブル３２について説明する。なお、蓄積ジョブ管理テーブル３２はフラッシュメモリ１１Ｂに記憶されてもよい。
蓄積ジョブ管理テーブル３２には、蓄積する印刷ジョブ毎に、ジョブ名、ユーザＩＤ、種別、及び、蓄積日時が登録される。ユーザＩＤには印刷ジョブに格納されているユーザＩＤが登録される。ただし、前述したように識別不能印刷ジョブにはユーザＩＤは格納されていないため、識別不能印刷ジョブの場合は蓄積ジョブ管理テーブル３２のユーザＩＤは空欄となる。
【００７２】
蓄積ジョブ管理テーブル３２への印刷ジョブの登録は、一部の例外を除いて、その印刷ジョブの受信が完了した後に行われる。上述した一部の例外についての説明は後述する。
【００７３】
ここで、本実施形態では、ＲＡＭ１１Ｃに印刷ジョブが記憶されていても、その印刷ジョブが蓄積ジョブ管理テーブル３２に登録されていない場合は、その印刷ジョブはＲＡＭ１１Ｃに蓄積されているとはいわず、単にＲＡＭ１１Ｃに記憶されているという。例えば、後述する蓄積設定で識別不能印刷を行わない設定がされている場合は、複合機２は識別不能印刷ジョブを受信すると、その識別不能印刷ジョブをＲＡＭ１１Ｃに記憶するものの、蓄積ジョブ管理テーブル３２には登録せず、認証が成功したか否かによらず直ちに実行する。識別可能印刷の場合も同様である。
【００７４】
（８）複合機の設定
複合機２がログイン状態のとき、ユーザは前述したメニュー画面から図示しない設定画面を呼び出すことにより、複合機２に対する各種の設定を行うことができる。ここではユーザが行うことのできる設定のうち蓄積設定、及び、印刷順設定について説明する。ただし、ここでは蓄積設定は管理者のみ行うことができるものとする。このため、一般ユーザの場合は蓄積設定を行うための設定画面は表示されない。
【００７５】
（８−１）蓄積設定
蓄積設定とは、識別可能印刷、及び、識別不能印刷を行うか否かの設定である。本実施形態では識別可能印刷を行うか否かの設定、及び、識別不能印刷を行うか否かの設定を別々に行うことができる。複合機２は、識別可能印刷を行わない設定を受け付けた場合は、その後に識別可能印刷ジョブを受信してもその識別可能印刷ジョブを蓄積せずに直ちに実行する。識別不能印刷についても同様である。
【００７６】
ところで、識別可能印刷を行わない設定を受け付けたとき、その時点で既にＲＡＭ１１Ｃに識別可能印刷ジョブが蓄積されている場合もある。複合機２は、識別可能印刷を行わない設定を受け付けたとき、その時点で既にＲＡＭ１１Ｃに識別可能印刷ジョブが蓄積されている場合は、蓄積されている識別可能印刷ジョブを実行することなくＲＡＭ１１Ｃから削除する。
【００７７】
同様に、識別不能印刷を行わない設定を受け付けたとき、その時点で既にＲＡＭ１１Ｃに識別不能印刷ジョブが蓄積されている場合もある。複合機２は、識別不能印刷を行わない設定を受け付けたとき、その時点で既にＲＡＭ１１Ｃに識別不能印刷ジョブが蓄積されている場合は、再度取得することが困難であるＦＡＸ印刷ジョブについては直ちに実行する一方、再度取得することが容易であるモバイル印刷ジョブについては実行することなくＲＡＭ１１Ｃから削除する。
【００７８】
ＦＡＸ印刷ジョブは特定種別のデータの一例であり、モバイル印刷ジョブは特定種別以外の種別のデータの一例である。また、ＣＰＵ１１Ａが操作部１２に設定画面を表示させて識別可能印刷、及び、識別不能印刷を行うか否かの設定を受け付ける処理は設定処理の一例である。
【００７９】
ここで、一般ユーザが蓄積設定を行うことができない理由は、一般ユーザが他人の印刷ジョブを削除してしまうことは望ましくないからである。なお、識別可能印刷を行わない設定がされている場合に、識別可能印刷を行うように設定すること、及び、識別不能印刷を行わない設定がされている場合に、識別不能印刷を行うように設定することについては、一般ユーザであっても行えるようにしてもよい。識別可能印刷を行うように設定する場合や、識別不能印刷を行うように設定する場合は、一般ユーザが他人の印刷ジョブを削除してしまうことはないからである。
【００８０】
本実施形態では、蓄積設定で識別可能印刷を行う設定や識別不能印刷を行う設定がされている場合であって、複合機２にログインしたユーザの識別可能印刷ジョブ、又は、識別不能印刷ジョブがＲＡＭ１１Ｃに蓄積されている場合は、複合機２がログイン状態になっても前述したメニュー画面は直ぐには表示されず、ＲＡＭ１１Ｃに蓄積されている印刷ジョブが実行された後にメニュー画面が表示される。なお、管理者の場合はそれらの印刷の実行を待機し、先にメニュー画面を表示してもよい。そして、管理者がメニュー画面で印刷を指示した場合に、識別可能印刷や識別不能印刷を実行する構成であってもよい。なお、管理者は外部の装置から通信ネットワーク５を介して複合機２にログインして各種の設定を行うこともできる。
【００８１】
（８−２）印刷順設定
印刷順設定は、蓄積設定にて識別可能印刷及び識別不能印刷を両方とも行う設定がされている場合に、認証が成功したとき、言い換えるとログイン状態になったとき、識別可能印刷、及び、識別不能印刷のどちらを先に実行するかを設定するものである。例えばユーザが識別可能印刷を先に実行するという設定を行った場合は、複合機２は識別可能印刷ジョブ、識別不能印刷ジョブの順で実行する。また、ユーザが識別不能印刷を先に実行するという設定を行った場合は、複合機２は識別不能印刷ジョブ、識別可能印刷ジョブの順で実行する。
【００８２】
（９）複合機によって実行される処理
次に、複合機２によって実行される処理について説明する。複合機２は種々の処理を実行するものであるが、ここではログイン処理、識別可能印刷・識別不能印刷処理、印刷ジョブ受信・蓄積処理、及び、蓄積設定処理について説明する。なお、印刷ジョブ受信・蓄積処理は前述した蓄積設定で識別不能印刷を行う設定がされている場合のみ実行される処理である。
【００８３】
（９−１）ログイン処理
先ず、図５を参照して、ログイン処理について説明する。本処理は複合機２がログイン状態でないときにユーザから認証情報の入力を受け付けると開始される。
【００８４】
Ｓ１０１では、ＣＰＵ１１Ａはユーザが入力したユーザＩＤ及びパスワード、あるいはカードリーダ１７から出力されたカードＩＤを、認証情報として認証サーバ３に送信する。
Ｓ１０２では、ＣＰＵ１１Ａは認証サーバ３から受信した認証結果から認証が成功したか否かを判断し、認証が成功した場合（Ｓ１０２：Ｙｅｓ）はＳ１０３に進み、認証が失敗した場合（Ｓ１０２：Ｎｏ）はＳ１０５に進む。なお、Ｓ１０１で認証サーバ３に認証情報を送信したときから一定時間が経過しても認証サーバ３から認証結果を受信しなかった場合は認証に失敗したものとする。
【００８５】
Ｓ１０３では、ＣＰＵ１１Ａは複合機２をログイン状態にする。
Ｓ１０４では、ＣＰＵ１１Ａは識別可能印刷・識別不能印刷処理を別タスクとして起動する。識別可能印刷・識別不能印刷処理は、識別可能印刷及び識別不能印刷を実行する処理である。識別可能印刷・識別不能印刷処理についての説明は後述する。
Ｓ１０５では、ＣＰＵ１１Ａは認証に失敗した旨のメッセージを表示装置に表示させる。
【００８６】
ここで、上述したようにＣＰＵ１１Ａはログイン状態にした後に識別可能印刷・識別不能印刷処理を別タスクとして起動するので、ユーザは識別可能印刷・識別不能印刷処理と並行して前述したログオフ画面でログオフする操作を行うことができる。ＣＰＵ１１Ａは識別可能印刷・識別不能印刷処理の実行が終了する前にログオフされても識別可能印刷・識別不能印刷処理を継続する。
【００８７】
（９−２）識別可能印刷・識別不能印刷処理
次に、図６を参照して、Ｓ１０４で起動される識別可能印刷・識別不能印刷処理について説明する。
【００８８】
Ｓ２０１では、ＣＰＵ１１Ａは蓄積ジョブ管理テーブル３２から全ての印刷ジョブのレコードを読み出す。
Ｓ２０２では、ＣＰＵ１１Ａは前述した印刷順設定で識別可能印刷を優先する設定がされているか又は識別不能印刷を優先する設定がされているかを判断し、識別可能印刷を優先する設定がされている場合（Ｓ２０２：Ｙｅｓ）はＳ２０３に進み、識別不能印刷を優先する設定がされている場合（Ｓ２０２：Ｎｏ）はＳ２０７に進む。
【００８９】
Ｓ２０３では、ＣＰＵ１１Ａは入力された認証情報に対応付けられているユーザＩＤと一致するユーザＩＤが格納されている識別可能印刷ジョブがＲＡＭ１１Ｃに蓄積されているか否かを判断する。この判断はＳ２０１で蓄積ジョブ管理テーブル３２から読み出したレコードの中に該当する識別可能印刷ジョブが含まれているか否かを判断することによって行う。ＣＰＵ１１Ａは、該当する識別可能印刷ジョブが蓄積されている場合（Ｓ２０３：Ｙｅｓ）はＳ２０４に進み、蓄積されていない場合（Ｓ２０３：Ｎｏ）はＳ２０５に進む。
【００９０】
ここで、ＣＰＵ１１Ａは該当する識別可能印刷ジョブが蓄積されているか否かをＳ２０１で読み出したレコードから判断するので、Ｓ２０１でレコードが読み出された後に蓄積ジョブ管理テーブル３２に登録された識別可能印刷ジョブは該当する識別可能印刷ジョブに含まれない。すなわち、複合機２がログイン状態になる前に受信が完了した印刷ジョブは今回の印刷処理の印刷対象に該当し、一方複合機２がログイン状態になってから受信が完了した印刷ジョブは今回の印刷処理の印刷対象外となる。これは後述するＳ２０５、Ｓ２０７、Ｓ２０９においても同様である。
Ｓ２０４では、ＣＰＵ１１Ａは該当する識別可能印刷ジョブを全て実行する。Ｓ２０４は識別可能印刷処理の一例である。
【００９１】
Ｓ２０５では、ＣＰＵ１１ＡはＲＡＭ１１Ｃに識別不能印刷ジョブが蓄積されているか否かを判断する。この判断はＳ２０１で蓄積ジョブ管理テーブル３２から読み出したレコードの中に識別不能印刷ジョブのレコードが含まれているか否かを判断することによって行う。ＣＰＵ１１Ａは、該当する識別不能印刷ジョブが蓄積されている場合（Ｓ２０５：Ｙｅｓ）はＳ２０６に進み、蓄積されていない場合（Ｓ２０５：Ｎｏ）は本処理を終了する。
【００９２】
Ｓ２０６では、ＣＰＵ１１ＡはＲＡＭ１１Ｃに蓄積されている該当する識別不能印刷ジョブを全て実行する。Ｓ２０６は識別不能印刷処理の一例である。
【００９３】
Ｓ２０７では、ＣＰＵ１１ＡはＲＡＭ１１Ｃに識別不能印刷ジョブが蓄積されているか否かを判断し、蓄積されている場合（Ｓ２０７：Ｙｅｓ）はＳ２０８に進み、蓄積されていない場合（Ｓ２０７：Ｎｏ）はＳ２０９に進む。
Ｓ２０８では、ＣＰＵ１１Ａは該当する識別不能印刷ジョブを全て実行する。Ｓ２０８は識別不能印刷処理の一例である。
【００９４】
Ｓ２０９では、ＣＰＵ１１Ａは受け付けた認証情報に対応付けられているユーザＩＤと一致するユーザＩＤが格納されている識別可能印刷ジョブがＲＡＭ１１Ｃに蓄積されているか否かを判断し、蓄積されている場合（Ｓ２０９：Ｙｅｓ）はＳ２１０に進み、蓄積されていない場合（Ｓ２０９：Ｎｏ）は本処理を終了する。
【００９５】
Ｓ２１０では、ＣＰＵ１１Ａは該当する識別可能印刷ジョブを全て実行する。Ｓ２１０は識別可能印刷処理の一例である。
なお、ＣＰＵ１１Ａはログイン状態にした際に、ＲＡＭ１１Ｃに該当する識別可能印刷ジョブも識別不能印刷ジョブも蓄積されていない場合（Ｓ２０３：Ｎｏ及びＳ２０５：Ｎｏ、Ｓ２０７：Ｎｏ及びＳ２０９：Ｎｏ）、または、該当する識別可能印刷ジョブと識別不能印刷ジョブの印刷が完了した場合（Ｓ２０６、Ｓ２０１）は、ユーザがログオフしない限り、前述したメニュー画面を表示させる。それによって、ユーザが他の処理や設定などを行うことができる。
【００９６】
（９−３）印刷ジョブ受信・蓄積処理
次に、印刷ジョブ受信・蓄積処理について説明する。ここでは端末装置４やＦＡＸ装置６は印刷ジョブを複数の部分印刷ジョブに分割して複合機２に送信するものとする。そして、複合機２は、一部の例外を除いて、一つの印刷ジョブを構成している全ての部分印刷ジョブの受信が完了した後にその印刷ジョブを蓄積ジョブ管理テーブル３２に登録するものとする。一部の例外とは、具体的にはＲＡＭ１１Ｃの空き容量が少ない場合である。
【００９７】
以下、図７を参照して、印刷ジョブ受信・蓄積処理の流れについて説明する。本処理は端末装置４や外部のＦＡＸ装置６から印刷ジョブが送信されると開始される。
【００９８】
Ｓ３０１では、ＣＰＵ１１Ａは部分印刷ジョブを受信する。
Ｓ３０２では、ＣＰＵ１１Ａは受信した部分印刷ジョブをＲＡＭ１１Ｃに記憶する。
Ｓ３０３では、ＣＰＵ１１Ａは一つの印刷ジョブの受信が完了したか否かを判断し、完了した場合（Ｓ３０３：Ｙｅｓ）はＳ３０４に進み、完了していない場合（Ｓ３０３：Ｎｏ）はＳ３０５に進む。
【００９９】
Ｓ３０４では、ＣＰＵ１１Ａは受信が完了した印刷ジョブを蓄積ジョブ管理テーブル３２に登録する。
Ｓ３０５では、ＣＰＵ１１ＡはＲＡＭ１１Ｃの空き容量が第１基準容量以下であるか否かを判断する。第１基準容量はＲＡＭ１１Ｃの空き容量が少ないか否かを判断するための閾値であり、具体的にはＲＡＭ１１Ｃの全記憶容量の５％〜２０％などである。なお、第１基準容量はこれに限られるものではなく、適宜に決定することができる。ＣＰＵ１１Ａは、ＲＡＭ１１Ｃの空き容量が第１基準容量以下である場合（Ｓ３０５：Ｙｅｓ）はＳ３０６に進み、第１基準容量より多い場合（Ｓ３０５：Ｎｏ）はＳ３０１に戻って処理を繰り返す。
【０１００】
Ｓ３０６では、ＣＰＵ１１Ａは受信中の印刷ジョブを蓄積ジョブ管理テーブル３２に登録する。つまり、ＲＡＭ１１Ｃの空き容量が少ない場合は、受信中の印刷ジョブについても蓄積ジョブ管理テーブル３２に登録される。
【０１０１】
Ｓ３０７では、ＣＰＵ１１Ａは複合機２がログイン状態であるか否かを判断する。この判断を行う理由を以下に説明する。
前述した識別可能印刷・識別不能印刷処理はログイン状態になったときに一度しか起動されないので、受信中の印刷ジョブを蓄積ジョブ管理テーブル３２に登録したとき、複合機２がログイン状態であったとしても、既に識別可能印刷・識別不能印刷処理の実行が終了してしまっている場合もある。その場合は、受信中の印刷ジョブを蓄積ジョブ管理テーブル３２に登録しても直ぐには実行されない。そこで、ＣＰＵ１１Ａは、ユーザがログイン中である場合は識別可能印刷・識別不能印刷処理を再起動するために、複合機２がログイン状態であるか否かをＳ３０７で判断する。
【０１０２】
ＣＰＵ１１Ａは、複合機２がログイン状態である場合（Ｓ３０７：Ｙｅｓ）はＳ３０８に進み、ログイン状態でない場合（Ｓ３０７：Ｎｏ）はＳ３０９に進む。
【０１０３】
Ｓ３０８では、ＣＰＵ１１Ａは識別可能印刷・識別不能印刷処理を別タスクとして起動する。ここで、ＣＰＵ１１Ａは、受信中の印刷ジョブを実行する場合は、後述するＳ３１１で印刷ジョブの受信が完了したと判断された後にその印刷ジョブを実行するものとする。つまり、ＣＰＵ１１Ａは受信中の印刷ジョブも蓄積ジョブ管理テーブル３２に登録するが、その印刷ジョブを実行するのは受信が完了した後である。
【０１０４】
ここで、Ｓ３０７でログイン状態であると判断した場合は、受信中の印刷ジョブの受信が完了するのは認証が成功した後であることになる。つまり、ＣＰＵ１１Ａは、ＲＡＭ１１Ｃの空き容量が第１基準容量以下である場合は、認証が成功した後にＲＡＭ１１Ｃへの蓄積が完了した印刷ジョブも実行することになる。
【０１０５】
Ｓ３０９では、ＣＰＵ１１Ａは部分印刷ジョブを受信する。
Ｓ３１０では、ＣＰＵ１１Ａは受信した部分印刷ジョブをＲＡＭ１１Ｃに記憶する。
Ｓ３１１では、ＣＰＵ１１Ａは一つの印刷ジョブの受信が完了したか否かを判断し、完了した場合（Ｓ３１１：Ｙｅｓ）は本処理を終了し、完了していない場合（Ｓ３１１：Ｎｏ）は完了するまでＳ３０９に戻って処理を繰り返す。
【０１０６】
（９−４）蓄積設定処理
次に、図８を参照して、蓄積設定処理について説明する。本処理は前述した蓄積設定で識別不能印刷を行わない設定を受け付けると開始される。
【０１０７】
Ｓ４０１では、ＣＰＵ１１Ａは蓄積ジョブ管理テーブル３２を参照して、ＲＡＭ１１Ｃに識別不能印刷ジョブが蓄積されているか否かを判断し、蓄積されている場合（Ｓ４０１：Ｙｅｓ）はＳ４０２に進み、蓄積されていない場合（Ｓ４０１：Ｎｏ）はＳ４０８に進む。
Ｓ４０２では、ＣＰＵ１１ＡはＲＡＭ１１Ｃに記憶されている識別不能印刷ジョブを一つ選択する。
【０１０８】
Ｓ４０３では、ＣＰＵ１１ＡはＳ４０２で選択した識別不能印刷ジョブがＦＡＸ印刷ジョブであるか否かを判断し、ＦＡＸ印刷ジョブである場合（Ｓ４０３：Ｙｅｓ）はＳ４０４に進み、ＦＡＸ印刷ジョブではない場合、すなわちモバイル印刷ジョブである場合（Ｓ４０３：Ｎｏ）はＳ４０５に進む。
Ｓ４０４では、ＣＰＵ１１ＡはＳ４０２で選択した識別不能印刷ジョブ、すなわちＦＡＸ印刷ジョブを直ちに実行する。
【０１０９】
Ｓ４０５では、ＣＰＵ１１ＡはＳ４０２で選択した識別不能印刷ジョブ、すなわちモバイル印刷ジョブを削除するか否かの選択をユーザから受け付けるための選択画面を表示装置に表示させてユーザから選択を受け付ける。ＣＰＵ１１Ａは、ユーザが削除する選択をした場合（Ｓ４０５：Ｙｅｓ）はＳ４０６に進み、削除しない選択をした場合（Ｓ４０５：Ｎｏ）はＳ４０７に進む。
【０１１０】
Ｓ４０６では、ＣＰＵ１１ＡはＳ４０２で選択した識別不能印刷ジョブ、すなわちモバイル印刷ジョブをＲＡＭ１１Ｃから削除する。
Ｓ４０７では、ＣＰＵ１１ＡはＲＡＭ１１Ｃに蓄積されている識別不能印刷ジョブを全て選択したか否かを判断し、全て選択した場合（Ｓ４０７：Ｙｅｓ）はＳ４０８に進み、未だ選択していない識別不能印刷ジョブがある場合（Ｓ４０７：Ｎｏ）はＳ４０２に戻って処理を繰り返す。
【０１１１】
Ｓ４０８では、ＣＰＵ１１Ａは設定を反映する。具体的には例えば、ＣＰＵ１１Ａは識別不能印刷を実行するか否かを示すフラグをオフにする。このフラグがオフである間は、複合機２は識別不能印刷ジョブを受信してもＲＡＭ１１Ｃに蓄積せず、複合機２がログイン状態であるか否かによらず直ちに実行する。
【０１１２】
（１０）実施形態の効果
認証情報を用いた認証が成功した場合は、その認証情報を入力したユーザは信頼できるユーザである可能性が高い。複合機２によると、識別不能印刷ジョブを受信するとその識別不能印刷ジョブを直ぐには実行せずにＲＡＭ１１Ｃに蓄積し、複合機２が備える操作部１２やカードリーダ１７で受け付けられた認証情報を用いた認証が成功した場合にその識別不能印刷ジョブを実行するので、識別不能印刷ジョブを実行しているとき、信頼できるユーザが複合機２の近くにいる可能性が高い。よって複合機２によると、認証せずに識別不能印刷ジョブを実行する場合に比べ、識別不能印刷ジョブに基づいて印刷された印刷物のセキュリティが向上する。
【０１１３】
更に、複合機２によると、識別可能印刷ジョブをＲＡＭ１１Ｃに蓄積し、複合機２が備える操作部１２やカードリーダ１７で受け付けられた認証情報を用いた認証が成功した場合に識別可能印刷ジョブを実行するので、識別可能印刷ジョブを実行しているとき、信頼できるユーザが複合機２の近くにいる可能性が高い。よって複合機２によると、認証せずに識別可能印刷ジョブを実行する場合に比べ、識別可能印刷ジョブに基づいて印刷された印刷物のセキュリティが向上する。
【０１１４】
更に、複合機２によると、識別不能印刷を行うか否かの設定を受け付けるので、識別不能データを蓄積させるか否かをユーザが設定することができる。
【０１１５】
更に、複合機２によると、蓄積設定で識別不能印刷を行わない設定を受け付けた場合は、ＲＡＭ１１Ｃに蓄積されている識別不能印刷ジョブのうちＦＡＸ印刷ジョブについては直ちに実行する。一般にＦＡＸ印刷ジョブはそのＦＡＸ印刷ジョブの送信者と印刷物を利用するユーザとが異なる。このため、ＦＡＸ印刷ジョブを削除してしまうと、印刷物を利用するユーザは後で印刷物が必要になったときに送信者に同じ内容のＦＡＸ印刷ジョブの送信を依頼することが容易でない場合もある。ＦＡＸ印刷ジョブについては削除せずに実行するようにすると、後で印刷物が必要になったときに同じ内容のＦＡＸ印刷ジョブの送信を依頼しなくてもよいようにすることができる。
【０１１６】
一方、複合機２によると、ＦＡＸ印刷ジョブ以外の印刷ジョブ、すなわちモバイル印刷ジョブについては実行せずにＲＡＭ１１Ｃから削除する。一般にモバイル印刷ジョブはそのモバイル印刷ジョブを送信したユーザとそのモバイル印刷ジョブに基づいて印刷された印刷物を利用するユーザとが同じである。このため、モバイル印刷ジョブを削除しても、その印刷物を利用するユーザは同じ内容のモバイル印刷ジョブを自身で送信し直せばよい。このように後で同じ内容のモバイル印刷ジョブを受信することが容易である場合は、既に蓄積されているモバイル印刷ジョブを削除することにより、既にＲＡＭ１１Ｃに蓄積されているモバイル印刷ジョブをそのまま蓄積させておく場合に比べてセキュリティが向上する。
【０１１７】
更に、複合機２によると、ＲＡＭ１１Ｃの空き容量が第１基準容量より多い場合は、認証が成功した後にＲＡＭ１１Ｃへの蓄積が完了した印刷ジョブについては実行しない。認証が成功した後にＲＡＭ１１Ｃへの蓄積が完了した印刷ジョブについても実行すると、ユーザは予期せぬ印刷が行われて混乱する虞がある。複合機２によると、認証が成功した後にＲＡＭ１１Ｃへの蓄積が完了した印刷ジョブについては実行しないので、予期せぬ印刷を低減できる。
【０１１８】
更に、複合機２によると、ＲＡＭ１１Ｃの空き容量が第１基準容量以下である場合は、認証が成功した後にＲＡＭ１１Ｃへの蓄積が完了した印刷ジョブについても実行するので、ＲＡＭ１１Ｃの空き容量が第１基準容量以下であっても認証が成功した後にＲＡＭ１１Ｃへの蓄積が完了した印刷ジョブについては実行しない場合に比べ、ＲＡＭ１１Ｃの空き容量をより早い時点で増やすことができる。
【０１１９】
更に、複合機２によると、識別可能印刷・識別不能印刷処理の実行中にログオフされても識別可能印刷・識別不能印刷処理を継続するので、ユーザは認証成功状態が解除された後も識別不能印刷ジョブに基づいて印刷された印刷物を得ることができる。言い換えると、ユーザは識別可能印刷・識別不能印刷処理が終わる前にログオフできる。
【０１２０】
＜実施形態２＞
次に、実施形態２を図９ないし図１０によって説明する。
前述した実施形態１ではログイン処理のＳ１０２で認証に成功するとＳ１０４において識別可能印刷・識別不能印刷処理を起動する場合を説明した。しかしながら、ユーザは必ずしも識別可能印刷・識別不能印刷処理を実行させるために認証情報を入力するとは限らず、印刷部１３を他の処理に利用するために認証情報を入力する場合もある。他の処理とは、前述したコピー機能を実行するコピー処理やダイレクトプリント機能を実行するダイレクトプリント処理などである。識別可能印刷・識別不能印刷処理は、蓄積装置に蓄積されているデータに基づく印刷を印刷部に実行させる処理の一例である。
【０１２１】
ユーザが印刷部１３を他の処理に利用するために認証情報を入力した場合、識別可能印刷・識別不能印刷処理を他の処理より先に実行すると、ユーザが実行させたいと考えている他の処理が後回しになってしまう。
そこで、実施形態２に係る複合機２は、ログイン状態になると、印刷部１３が他の処理に利用される可能性があるか否かを判断し、他の処理に利用される可能性がある場合は、他の処理を識別可能印刷・識別不能印刷処理より先に実行する。
【０１２２】
（１）印刷部が他の処理に利用される可能性があるか否かの判断
ＣＰＵ１１Ａは、以下に示す（ｃ１）〜（ｃ３）の場合は、印刷部１３が他の処理に利用される可能性があると判断する。
【０１２３】
（ｃ１）ＡＤＦやプラテンガラスに原稿がセットされている場合
画像読取部１４のＡＤＦやプラテンガラスに原稿がセットされている場合はコピー処理を実行する可能性がある。そこで、複合機２は、画像読取部１４のＡＤＦやプラテンガラスに原稿がセットされている場合は印刷部１３が他の処理に利用される可能性があると判断する。
【０１２４】
（ｃ２）ＵＳＢホストインタフェースにＵＳＢメモリが装着されている場合
ＵＳＢホストインタフェースにＵＳＢメモリが装着されている場合は、ダイレクトプリント処理を実行する可能性がある。そこで、複合機２は、ＵＳＢホストインタフェース部１８にＵＳＢメモリが装着されている場合は印刷部１３が他の処理に利用される可能性があると判断する。
【０１２５】
（ｃ３）識別可能印刷ジョブを蓄積してから一定時間以上が経過している場合
識別可能印刷ジョブに基づいて印刷された印刷物を直ぐに必要としているユーザは、識別可能印刷ジョブを送信してから２〜３分などの短時間のうちに複合機２に認証情報を入力する傾向がある。逆にいうと、識別可能印刷ジョブを送信してから短時間のうちにユーザが複合機２に認証情報を入力しなかった場合は、そのユーザは印刷物を直ぐには必要としていないと推測される。
【０１２６】
短時間のうちに認証情報を入力しなかったユーザがその後に複合機２に認証情報を入力した場合は、そのユーザは識別可能印刷ジョブに基づいて印刷された印刷物を直ちには必要としていないと推測されるので、印刷部１３を他の処理に利用するために認証情報を入力した可能性を否定できない。
そこで、ＣＰＵ１１Ａは、識別可能印刷ジョブを送信してから２〜３分などの短時間のうちに認証情報を入力しなかったユーザがその後に認証情報を入力した場合は、印刷部１３が他の処理に利用される可能性があると判断する。
【０１２７】
（２）他の処理を識別可能印刷・識別不能印刷処理より先に実行させる場合の例外
ＲＡＭ１１Ｃの空き容量が少ない場合は、ＲＡＭ１１Ｃの空き容量を早い時点で増やすために、ＲＡＭ１１Ｃに蓄積されている印刷ジョブを早く実行することが望ましい。また、識別可能印刷ジョブや識別不能印刷ジョブが蓄積された時から１日などの長時間が経過してもその印刷ジョブが実行されなかった場合は、他の印刷ジョブを記憶するための空き容量が少なくなってしまうので、その印刷ジョブを早く実行することが望ましい。
【０１２８】
そこで、ＣＰＵ１１Ａは、ＲＡＭ１１Ｃの空き容量が少ない場合や、蓄積されてから１日などの長時間が経過している識別可能印刷ジョブや識別不能印刷ジョブがある場合は、例外として、印刷部１３が他の処理に利用される可能性があるか否かの判断は行わず、識別可能印刷・識別不能印刷処理を他の処理より先に実行する。
【０１２９】
（３）優先順決定処理
次に、図９を参照して、他の処理を先に実行するか又は識別可能印刷・識別不能印刷処理を先に実行するかを決定する優先順決定処理について説明する。実施形態２に係る複合機２は、図５に示すログイン処理のＳ１０４において、識別可能印刷・識別不能印刷処理ではなく優先順決定処理を別タスクとして起動する。実施形態２に係るログイン処理はその他の点において実施形態１に係るログイン処理と実質的に同一であり、複合機２がログイン状態になってから（Ｓ１０３）、当該優先順決定処理が起動される。
【０１３０】
Ｓ５０１では、ＣＰＵ１１ＡはＲＡＭ１１Ｃの空き容量が第２基準容量以下であるか否かを判断する。第２基準容量はＲＡＭ１１Ｃの空き容量が少ないか否かを判断するための閾値であり、具体的にはＲＡＭ１１Ｃの全記憶容量の５％〜２０％などである。なお、第２基準容量はこれに限られるものではなく、適宜に決定することができる。
【０１３１】
ＣＰＵ１１Ａは、ＲＡＭ１１Ｃの空き容量が第２基準容量以下である場合（Ｓ５０１：Ｙｅｓ）は例外としてＳ５０６に進み、識別可能印刷・識別不能印刷処理を実行する。一方、第２基準容量より多い場合（Ｓ５０１：Ｎｏ）は、ＣＰＵ１１ＡはＳ５０２に進む。
【０１３２】
Ｓ５０２では、ＣＰＵ１１ＡはＲＡＭ１１Ｃに蓄積されている識別可能印刷ジョブのうち認証情報に対応付けられているユーザＩＤが格納されている識別可能印刷ジョブの中に、ＲＡＭ１１Ｃに蓄積された蓄積日時と現在時刻との時間差が第１基準時間以上である識別可能印刷ジョブがあるか否か、及び、ＲＡＭ１１Ｃに蓄積されている識別不能印刷ジョブの中に、ＲＡＭ１１Ｃに記憶された蓄積日時と現在時刻との時間差が第１基準時間以上である識別不能印刷ジョブがあるか否かを判断する。第１基準時間は１日などの長時間である。
ＣＰＵ１１Ａは、第１基準時間以上である印刷ジョブが一つでもある場合（Ｓ５０２：Ｙｅｓ）は例外としてＳ５０６に進み、識別可能印刷・識別不能印刷処理を実行する。一方、第１基準時間以上である印刷ジョブがない場合（Ｓ５０２：Ｎｏ）は、ＣＰＵ１１ＡはＳ５０３に進む。
【０１３３】
Ｓ５０３では、ＣＰＵ１１ＡはＡＤＦ及びプラテンガラスの少なくとも一方に原稿がセットされているか否かを判断し、セットされていない場合（Ｓ５０３：Ｎｏ）はＳ５０４に進み、セットされている場合（Ｓ５０３：Ｙｅｓ）はＳ５０７に進む。Ｓ５０３は利用判断処理の一例である。
Ｓ５０４では、ＣＰＵ１１ＡはＵＳＢホストインタフェース部１８にＵＳＢメモリが装着されているか否かを判断し、装着されていない場合（Ｓ５０４：Ｎｏ）はＳ５０５に進み、装着されている場合（Ｓ５０４：Ｙｅｓ）はＳ５０７に進む。Ｓ５０４は利用判断処理の一例である。
【０１３４】
Ｓ５０５では、ＣＰＵ１１ＡはＲＡＭ１１Ｃに蓄積されている識別可能印刷ジョブのうち認証情報に対応付けられているユーザＩＤと一致するユーザＩＤが格納されている識別可能印刷ジョブの中に、ＲＡＭ１１Ｃに蓄積された蓄積日時と現在時刻との時間差が第２基準時間以内である識別可能印刷ジョブがあるか否かを判断する。第２基準時間は２〜３分などの短時間である。
【０１３５】
ＣＰＵ１１Ａは、第２基準時間以内である印刷ジョブがある場合（Ｓ５０５：Ｙｅｓ）は、ユーザは識別可能印刷ジョブに基づいて印刷された印刷物を直ぐに必要としているとしてＳ５０６に進み、ない場合（Ｓ５０５：Ｎｏ）はその印刷物を直ぐには必要としていないとしてＳ５０７に進む。
【０１３６】
Ｓ５０６では、ＣＰＵ１１Ａは識別可能印刷・識別不能印刷処理を別タスクとして起動する。
Ｓ５０７では、ＣＰＵ１１Ａは蓄積印刷実行処理を起動する。蓄積印刷実行処理は、他の処理の後に識別可能印刷・識別不能印刷処理を実行する処理である。蓄積印刷実行処理についての説明は後述する。
【０１３７】
（４）蓄積印刷実行処理
次に、図１０を参照して、Ｓ５０７で実行される蓄積印刷実行処理について説明する。
【０１３８】
Ｓ６０１では、ＣＰＵ１１Ａは一定時間待機する。具体的には、前述した実施形態１では、識別可能印刷及び識別不能印刷のいずれか少なくとも一方を行う設定がされている場合は、ログインしたユーザの識別可能印刷ジョブまたは識別不能印刷ジョブが蓄積されていれば、複合機２がログイン状態になったとき、前述したメニュー画面が表示されず、該ユーザの識別可能印刷ジョブまたは識別不能印刷ジョブの印刷が実行される。それに対して、実施形態２では、Ｓ５０３：Ｙｅｓ、Ｓ５０４：ＹｅｓまたはＳ５０５：Ｎｏの場合、複合機２がログイン状態になったとき、複合機２にログインしたユーザの識別可能印刷ジョブ、又は、識別不能印刷ジョブがＲＡＭ１１Ｃに蓄積されていても、ＣＰＵ１１ＡはＲＡＭ１１Ｃに蓄積されている印刷ジョブの実行を開始せず、前述したメニュー画面を表示させる。そして、複合機２は、ユーザがメニュー画面から画像読取機能、ＦＡＸ機能、コピー機能、ダイレクトプリント機能などの他の処理を選択することを待つ。
【０１３９】
Ｓ６０２では、ＣＰＵ１１Ａは他の処理を実行したか否かを判断し、他の処理を実行した場合（Ｓ６０２：Ｙｅｓ）はＳ６０３に進み、実行していない場合（Ｓ６０２：Ｎｏ）はＳ６０６に進む。
【０１４０】
Ｓ６０３では、ＣＰＵ１１ＡはＲＡＭ１１Ｃに蓄積されている印刷ジョブを実行するか否かの選択をユーザから受け付けるための選択画面を表示装置に表示させてユーザから選択を受け付ける。Ｓ６０３は選択受付処理の一例である。
【０１４１】
Ｓ６０４では、ＣＰＵ１１ＡはＳ６０３でユーザが実行する選択をしたか否かを判断し、実行する選択をした場合（Ｓ６０４：Ｙｅｓ）はＳ６０５に進み、実行しない選択をした場合（Ｓ６０４：Ｎｏ）はＳ６０２に戻って処理を繰り返す。なお、識別不能印刷ジョブについてのみ実行を開始するか否かの選択を受け付け、識別可能印刷ジョブについてはこの選択は受け付けずにＳ６０５に進んで常に実行するようにしてもよい。
【０１４２】
Ｓ６０５では、ＣＰＵ１１Ａは識別可能印刷・識別不能印刷処理を別タスクとして起動する。
Ｓ６０６では、ＣＰＵ１１Ａは、認証に成功したとき、又は、最後に実行した他の処理の実行が終了したときから一定時間が経過したか否かを判断し、一定時間が経過した場合（Ｓ６０６：Ｙｅｓ）はＳ６０５に進み、経過していない場合（Ｓ６０６：Ｎｏ）はＳ６０７に進む。
【０１４３】
Ｓ６０７では、ＣＰＵ１１Ａはログオフしたか否か、すなわち認証成功状態を解除したか否かを判断し、認証成功状態を解除した場合（Ｓ６０７：Ｙｅｓ）は本処理を終了して優先順決定処理に戻り、解除していない場合（Ｓ６０７：Ｎｏ）はＳ６０２に戻って処理を繰り返す。
【０１４４】
（５）実施形態の効果
以上説明した複合機２によると、印刷部１３が他の処理に利用される可能性がある場合は識別可能印刷・識別不能印刷処理の実行を待機するので、他の処理を実行させたいユーザは他の処理を識別可能印刷・識別不能印刷処理より先に実行させることができる。
【０１４５】
更に、複合機２によると、印刷部１３が他の処理に利用される可能性があると判断したときから一定時間以内に他の処理を実行しなかった場合（Ｓ６０６：Ｙｅｓ）は識別可能印刷・識別不能印刷処理を実行する。いつまでも他の処理を実行しないと、識別可能印刷・識別不能印刷処理が長時間に亘って待機されてしまう。複合機２によると、一定時間以内に他の処理を実行しなかった場合は識別可能印刷・識別不能印刷処理を実行するので、待機する時間を上述した一定時間以内にすることができる。
【０１４６】
更に、複合機２によると、ＲＡＭ１１Ｃの空き容量が第２基準容量以下である場合（Ｓ５０１：Ｙｅｓ）は利用判断処理（Ｓ５０３、Ｓ５０４）を実行せず、識別可能印刷・識別不能印刷処理を実行する（Ｓ５０６）ので、他の処理を実行してから識別可能印刷・識別不能印刷処理を実行する場合に比べ、ＲＡＭ１１Ｃの空き容量をより早い時点で増やすことができる。
【０１４７】
更に、複合機２によると、蓄積されている印刷ジョブに基づいて印刷された印刷物を直ぐに必要としない場合は、Ｓ６０３において実行させない選択を行うことにより、蓄積されている印刷ジョブに基づく印刷が実行されないようにすることができる。
【０１４８】
＜実施形態３＞
次に、実施形態３を図１１によって説明する。
前述した実施形態１では、識別不能印刷を行う設定を受け付けた場合は、印刷ジョブ受信・蓄積処理において、受信した識別不能印刷ジョブがＦＡＸ印刷ジョブであるかモバイル印刷ジョブであるかによらずその識別不能印刷ジョブをＲＡＭ１１Ｃに蓄積する場合を例に説明した。これに対し、実施形態３では、識別不能印刷ジョブのうちＦＡＸ印刷ジョブのみを蓄積し、モバイル印刷ジョブについては蓄積しない。
【０１４９】
図１１を参照して、実施形態３に係る印刷ジョブ受信・蓄積処理について説明する。ここでは実施形態１に係る印刷ジョブ受信・蓄積処理と実質的に同一の処理には同一の符号を付して説明を省略する。また、図１１では実施形態１に係る印刷ジョブ受信・蓄積処理のＳ３０５〜Ｓ３１１を省略して示している。
【０１５０】
実施形態３に係る印刷ジョブ受信・蓄積処理は、実施形態１に係る印刷ジョブ受信・蓄積処理に加えてＳ７０１及びＳ７０２が実行される。
Ｓ７０１では、ＣＰＵ１１Ａは受信した印刷ジョブが識別可能印刷ジョブであるか識別不能印刷ジョブであるかを判断し、識別可能印刷ジョブの場合（Ｓ７０１：Ｙｅｓ）はＳ３０４に進み、識別不能印刷ジョブの場合（Ｓ７０１：Ｎｏ）はＳ７０２に進む。
Ｓ７０２では、ＣＰＵ１１Ａは受信した識別不能印刷ジョブがＦＡＸ印刷ジョブであるか否かを判断し、ＦＡＸ印刷ジョブである場合（Ｓ７０２：Ｙｅｓ）はＳ３０４に進み、ＦＡＸ印刷ジョブではない場合（Ｓ７０２：Ｎｏ）は、ＲＡＭ１１から該受信した印刷ジョブを削除して本処理を終了する。なお、ＦＡＸ印刷ジョブではない場合は、削除するのではなく直ちに実行してもよい。
【０１５１】
ここで、ＣＰＵ１１Ａは、Ｓ３０３で受信が完了していないと判断した場合（Ｓ３０３：Ｎｏ）は図７に示すＳ３０５に進み、Ｓ３０５で第１基準容量以下であると判断した場合（Ｓ３０５：Ｙｅｓ）はＳ３０６において受信中の印刷ジョブを蓄積ジョブ管理テーブル３２に登録する。しかしながら、この場合も、受信中の印刷ジョブが識別可能印刷ジョブ及びＦＡＸ印刷ジョブ以外の印刷ジョブである場合は蓄積ジョブ管理テーブル３２に登録せずに処理を終了するものとする。
【０１５２】
また、上述したように実施形態３ではＦＡＸ印刷ジョブ以外の識別不能印刷ジョブはＲＡＭ１１Ｃに蓄積されないので、実施形態３に係る蓄積設定処理では図８に示すＳ４０３の判断は不要であり、常にＳ４０４に進んでＦＡＸ印刷ジョブを実行することになる。
【０１５３】
以上説明した複合機２によると、ＦＡＸ印刷ジョブ以外の印刷ジョブについてはＲＡＭ１１Ｃに蓄積しないようにすることができる。
【０１５４】
＜他の実施形態＞
上記記述及び図面によって説明した実施形態に限定されるものではなく、例えば次のような実施形態も技術的範囲に含まれる。
【０１５５】
（１）上記実施形態では識別不能印刷ジョブとしてＦＡＸ印刷ジョブ、及び、モバイル印刷ジョブを例に説明した。しかしながら、識別不能印刷ジョブはこれらに限られるものではなく、ユーザを識別不能な印刷ジョブであれば他の印刷ジョブであってもよい。
【０１５６】
（２）上記実施形態では、ユーザを識別不能なデータとして識別不能印刷ジョブを例に説明した。しかしながら、ユーザを識別不能なデータは識別不能印刷ジョブに限られない。例えば印刷ジョブにユーザＩＤが格納されていても複合機２がその印刷ジョブを解析できず、それによりユーザＩＤを取得できない場合は、その印刷ジョブもユーザを識別不能なデータである。
【０１５７】
また、上記実施形態ではユーザを識別可能なデータとしてＰＣ印刷ジョブを例に説明した。しかしながら、ユーザを識別可能なデータはＰＣ印刷ジョブに限られない。例えば複合機２は電子メールによって印刷データを受信し、その印刷データを印刷するための印刷ジョブを生成してもよい。その場合に、電子メールの送信元アドレスをユーザＩＤとして印刷ジョブに格納してもよい。
【０１５８】
（３）上記実施形態では認証サーバ３によって認証を行う場合を例に説明した。これに対し、複合機２にユーザ管理テーブル３１を記憶し、複合機２自体が認証を行ってもよい。
【０１５９】
（４）上記実施形態では蓄積装置としてＲＡＭ１１Ｃを例に説明した。しかしながら、蓄積装置はＲＡＭ１１Ｃに限られるものではなく、例えばフラッシュメモリやハードディスクであってもよい。
また、複合機２と通信可能に接続されている外部の装置を蓄積装置として用いてもよい。その場合、蓄積ジョブ管理テーブル３２も外部の装置に記憶し、外部の装置が蓄積ジョブ管理テーブル３２に印刷ジョブを登録してもよい。つまりこの場合は外部の装置によって蓄積処理が実行される。
【０１６０】
（５）上記実施形態ではユーザから印刷順設定を受け付ける場合を例に説明した。しかしながら、ユーザから印刷順設定を受け付けず、常に固定の印刷順で実行してもよい。
例えば、ユーザは識別可能印刷ジョブを印刷するために認証情報を入力する場合もある。このため、識別可能印刷ジョブ、識別不能印刷ジョブの順で実行すると、識別可能印刷ジョブを印刷するためにユーザが認証情報を入力した場合に、識別可能印刷ジョブに基づいて印刷された印刷物をより早く得ることができる。
また、識別不能印刷ジョブ、識別可能印刷ジョブの順で実行すると、識別可能データを印刷するためにユーザが認証情報を入力した場合に、識別不能データの印刷を実行しているときにも信頼できるユーザが印刷装置の近くにいることになる。このため、識別不能データに基づいて印刷された印刷物のセキュリティが向上する。
【０１６１】
（６）上記実施形態では、蓄積設定処理において、識別不能印刷ジョブのうちＦＡＸ印刷ジョブについては実行し、それ以外の識別不能印刷ジョブについては実行せずに削除する場合を例に説明した。これに対し、識別不能印刷ジョブを蓄積しない設定を受け付けた場合はＦＡＸ印刷ジョブについても実行せずに削除するようにしてもよいし、ＦＡＸ印刷ジョブ以外の識別不能印刷ジョブについても実行するようにしてもよい。
【０１６２】
（７）上記実施形態では、蓄積設定処理において、識別不能印刷ジョブのうちＦＡＸ印刷ジョブについては実行し、それ以外の識別不能印刷ジョブについては実行せずに削除する場合を例に説明した。これに対し、Ｓ４０２で選択した識別不能印刷ジョブを実行するか削除するかの選択をユーザから受け付け、印刷する選択を受け付けた場合はその識別不能印刷ジョブを実行し、削除する選択を受け付けた場合はその識別不能印刷ジョブを削除してもよい。
【０１６３】
（８）上記実施形態ではＲＡＭ１１Ｃの空き容量が第１基準容量以下である場合（Ｓ３０５：Ｙｅｓ）は受信中の識別不能印刷ジョブも実行する場合を例に説明した。これに対し、受信中の識別不能印刷ジョブ、すなわち認証が成功した後にＲＡＭ１１Ｃへの蓄積が完了した識別不能印刷ジョブについてはＲＡＭ１１Ｃの空き容量によらず実行しないようにしてもよい。これにより、予期せぬ印刷が行われてユーザが混乱する虞を低減できる。
【０１６４】
（９）上記実施形態では認証情報としてユーザＩＤとパスワードとの組み合わせ、及び、カードＩＤを例に説明した。しかしながら、認証情報はこれらに限られるものではなく、例えば指紋などの生体情報であってもよいし、その他の情報であってもよい。
【０１６５】
（１０）上記実施形態では印刷装置として複合機２を例に説明した。これに対し、印刷装置は単機能のプリンタであってもよい。
【０１６６】
（１１）上記実施形態ではＣＰＵ１１Ａによって各処理が実行される場合を例に説明した。これに対し、これらの処理の一部はＡＳＩＣ１１Ｄによって実行されてもよい。また、制御部１１はＡＳＩＣ１１Ｄを備えていなくてもよい。また、制御部１１は複数のＣＰＵを備え、上述した処理を複数のＣＰＵによって分担して実行してもよい。
【符号の説明】
【０１６７】
１・・・印刷システム、２・・・複合機、３・・・認証サーバ、４・・・端末装置、１１・・・制御部、１１Ａ・・・ＣＰＵ、１１Ｃ・・・ＲＡＭ、１２・・・操作部、１３・・・印刷部、１７・・・カードリーダ
【図１】
2015054505.tif 000003
【図２】
2015054505.tif 000004
【図３】
2015054505.tif 000005
【図４】
2015054505.tif 000006
【図５】
2015054505.tif 000007
【図６】
2015054505.tif 000008
【図７】
2015054505.tif 000009
【図８】
2015054505.tif 000010
【図９】
2015054505.tif 000011
【図１０】
2015054505.tif 000012
【図１１】
2015054505.tif 000013